(57)【要約】      （修正有）【課題】インクタンクの容量をより一層確保しながらも、デザイン性と強度に優れた液体噴射装置を提供する。【解決手段】液体噴射装置は、媒体に対して液体を噴射する液体噴射部と、液体を収容する液体収容容器を少なくとも一つ備えた、装置前面側に配置される液体収容部３２と、装置前面側に配置された、各種操作を受け付ける操作パネル２０と、装置前面側に配置され、排出された媒体を受ける媒体受けトレイ２４と、を備え、液体収容部３２及び媒体受けトレイ２４は、共に操作パネル２０より前方側に突出しているとともに、液体収容部３２の前面の位置と媒体受けトレイ２４の前面の位置とが揃っている。液体収容部３２は、液体収容容器の少なくとも一部を開閉する回動可能なカバーと、カバーを閉じた状態で施錠する施錠手段によって施錠する施錠部と、施錠手段を載置する施錠手段載置部とを備える。【選択図】図４
2018103526.tif 000002
【特許請求の範囲】
【請求項１】
媒体に対して液体を噴射する液体噴射部と、
液体を収容する液体収容容器を少なくとも一つ備えた、装置前面側に配置される液体収容部と、
装置前面側に配置された、各種操作を受け付ける操作パネルと、
装置前面側に配置され、排出された媒体を受ける媒体受けトレイと、を備え、
前記液体収容部及び前記媒体受けトレイは、共に前記操作パネルより前方側に突出しているとともに、前記液体収容部の前面の位置と前記媒体受けトレイの前面の位置とが揃っている、
ことを特徴とする液体噴射装置。
【請求項２】
媒体に対して液体を噴射する液体噴射部と、
液体を収容する液体収容容器を少なくとも一つ備えた、装置前面側に配置される液体収容部と、
装置前面側に配置された、各種操作を受け付ける操作パネルと、
装置前面側から媒体を収容可能な媒体収容部と、を備え、
前記液体収容部及び前記媒体収容部は、共に前記操作パネルより前方側に突出しているとともに、前記液体収容部の前面の位置と前記媒体収容部の前面の位置とが揃っている、
ことを特徴とする液体噴射装置。
【請求項３】
請求項１または請求項２に記載の液体噴射装置において、前記液体収容部は、前記液体収容容器の少なくとも一部を開閉する回動可能なカバーと、
前記カバーを閉じた状態で施錠する施錠手段によって施錠する施錠部と、
前記施錠手段を載置する施錠手段載置部と、
を備えることを特徴とする液体噴射装置。
【請求項４】
請求項３に記載の液体噴射装置において、前記液体噴射部を備える装置本体の上部に、画像を読み取る画像読取部を備え、
前記画像読取部は、前記装置本体の上部を開閉可能に設けられるとともに、閉じた状態において前記施錠手段載置部を覆う、
ことを特徴とする液体噴射装置。
【請求項５】
請求項１または請求項２に記載の液体噴射装置において、前記液体収容容器は、液体補充容器から液体を注入可能な注入口を備え、
前記液体収容部は、複数の前記液体収容容器と、
前記液体収容容器の上部に設けられ、前記注入口を露呈させる上部ハウジングと、
前記上部ハウジングの上部を開閉する、回動可能なカバーと、を備え、
前記上部ハウジングは、前記液体収容容器の上部位置を規制するとともに、複数の前記注入口のそれぞれに対して対応する前記液体補充容器の誤装着を防止する誤装着防止部と、
前記カバーの回動軸と、を備えている、
ことを特徴とする液体噴射装置。
【請求項６】
請求項５に記載の液体噴射装置において、前記液体収容部において前記液体収容容器を収容する収容区画の底部は、前記液体収容容器の下部が固定される下部フレームにより構成され、
前記収容区画の少なくとも一つの内壁と天面は、下部が前記下部フレームに固定される補強フレームにより構成され、
前記上部ハウジングは、底部において前記補強フレームに固定される、
ことを特徴とする液体噴射装置。
【請求項７】
請求項１または請求項２に記載の液体噴射装置において、前記液体収容容器は、液体補充容器から液体を注入可能な注入口を備え、
前記注入口は、装置奥行き方向において前記液体収容部の前面と、前記操作パネルにおける少なくとも上端部との間に位置している、
ことを特徴とする液体噴射装置。
【請求項８】
請求項１または請求項２に記載の液体噴射装置において、前記液体収容容器は、液体補充容器から液体を注入可能な注入口を備え、
前記液体収容部は、前記液体収容容器に接続されたバッファー部が備える大気開放口と、
前記注入口及び前記大気開放口の上部を開閉する回動可能なカバーと、
前記カバーの開閉を検出する検出手段と、を備え、
前記検出手段が、前記注入口及び前記大気開放口の形成領域外に設けられている、
ことを特徴とする液体噴射装置。
【請求項９】
請求項１または請求項２に記載の液体噴射装置において、前記液体噴射部を備える装置本体の上部に、画像を読み取る画像読取部を備え、
前記画像読取部が閉じた状態において当該画像読取部の前面と、前記操作パネルの前面とが揃っている、
ことを特徴とする液体噴射装置。
【請求項１０】
請求項１または請求項２に記載の液体噴射装置において、前記液体収容部の側面と、装置側面とが揃っている、
ことを特徴とする液体噴射装置。
【発明の詳細な説明】
【技術分野】
【０００１】
本発明は、液体を噴射する液体噴射装置に関する。
【背景技術】
【０００２】
液体を噴射する液体噴射装置の一例として、インクジェットプリンターがある。インクジェットプリンターは、液体の一例であるインクを噴射する液体噴射部を構成する記録ヘッドを備えている。  
また更に、インクジェットプリンターには、インクを収容するインク収容容器を、液体噴射部から離れた位置に備えるものがある。この様な構成では、インク収容容器と液体噴射部とが、インク供給用のチューブによって接続される。
【０００３】
例えば特許文献１には、インクタンク（インク収容容器）が装置前面側に設けられるとともに、インクタンクをカバーで覆う構成が開示されている。特許文献１記載の構成では、インクタンクは、装置全体の外観を構成する筐体内に収容され、インクタンクが外観のデザイン的に装置側面に突出しない様に設けられている。
【先行技術文献】
【特許文献】
【０００４】
【特許文献２】特開２０１４−７９９０８号公報
【発明の概要】
【発明が解決しようとする課題】
【０００５】
特許文献１記載のインクジェットプリンターは、インクタンクに対してボトルからインクを補充可能に構成されている。しかしながらインクタンクの容量を更に確保し、１回のインク補充によって更に印刷枚数を多く確保したいという要請もあり、その為にはインクタンクを大型化せざるを得ず、その結果インクタンクを、少なくとも装置前面を構成する操作パネルよりも前面側に突出させざるを得ない場合もある。この場合、装置前面側に凹凸が形成されることとなり、デザイン的に好ましくないとともに、仮にインクタンクのみが装置前面側に突出すると、装置のハンドリング時にインクタンクを壁などにぶつけてしまい、破損させてしまう虞がある。
【０００６】
そこで本発明はこの様な状況に鑑みなされたものであり、その目的は、インクタンクの容量をより一層確保しながらも、デザイン性と強度に優れた液体噴射装置を提供することにある。
【課題を解決するための手段】
【０００７】
上記課題を解決する為の、本発明の第１の態様に係る液体噴射装置は、媒体に対して液体を噴射する液体噴射部と、液体を収容する液体収容容器を少なくとも一つ備えた、装置前面側に配置される液体収容部と、装置前面側に配置された、各種操作を受け付ける操作パネルと、装置前面側に配置され、排出された媒体を受ける媒体受けトレイと、を備え、前記液体収容部及び前記媒体受けトレイは、共に前記操作パネルより前方側に突出しているとともに、前記液体収容部の前面の位置と前記媒体受けトレイの前面の位置とが揃っていることを特徴とする。
【０００８】
本態様によれば、液体噴射装置において装置前面側に配置された液体収容部と媒体受けトレイは、操作パネルより前方側に突出しているとともに、液体収容部の前面の位置と媒体受けトレイの前面の位置とが揃っているので、液体収容部及び媒体受けトレイのいずれか一方が他方に対して突出している構成に比してデザイン性と強度の双方に優れた構成とすることができる。
【０００９】
本発明の第２の態様は、媒体に対して液体を噴射する液体噴射部と、液体を収容する液体収容容器を少なくとも一つ備えた、装置前面側に配置される液体収容部と、装置前面側に配置された、各種操作を受け付ける操作パネルと、装置前面側から媒体を収容可能な媒体収容部と、を備え、前記液体収容部及び前記媒体収容部は、共に前記操作パネルより前方側に突出しているとともに、前記液体収容部の前面の位置と前記媒体収容部の前面の位置とが揃っていることを特徴とする。
【００１０】
本態様によれば、液体噴射装置において装置前面側に配置された液体収容部と媒体収容部は、操作パネルより前方側に突出しているとともに、液体収容部の前面の位置と媒体収容部の前面の位置とが揃っているので、液体収容部及び媒体収容部のいずれか一方が他方に対して突出している構成に比してデザイン性と強度の双方に優れた構成とすることができる。
【００１１】
本発明の第３の態様は、第１のまたは第２の態様において、前記液体収容部は、前記液体収容容器の少なくとも一部を開閉する回動可能なカバーと、前記カバーを閉じた状態で施錠する施錠手段によって施錠する施錠部と、前記施錠手段を載置する施錠手段載置部とを備えることを特徴とする。
【００１２】
本態様によれば、前記液体収容部は、前記液体収容容器の少なくとも一部を開閉する回動可能なカバーと、前記カバーを閉じた状態で施錠する施錠手段によって施錠する施錠部と、前記施錠手段を載置する施錠手段載置部とを備えるので、前記カバーを閉状態で施錠することができ、前記液体収容容器への不用意なアクセスを抑制できる。
【００１３】
本発明の第４の態様は、第３の態様において、前記液体噴射部を備える装置本体の上部に、画像を読み取る画像読取部を備え、前記画像読取部は、前記装置本体の上部を開閉可能に設けられるとともに、閉じた状態において前記施錠手段載置部を覆うことを特徴とする。
【００１４】
本態様によれば、前記液体噴射部を備える装置本体の上部に、画像を読み取る画像読取部を備え、前記画像読取部は、前記装置本体の上部を開閉可能に設けられるとともに、閉じた状態において前記施錠手段載置部を覆うので、前記画像読取部を閉じた状態で前記施錠手段を隠すことができ、よりデザイン性に優れた液体噴射装置を得ることができる。
【００１５】
本発明の第５の態様は、第１のまたは第２の態様において、前記液体収容容器は、液体補充容器から液体を注入可能な注入口を備え、前記液体収容部は、複数の前記液体収容容器と、前記液体収容容器の上部に設けられ、前記注入口を露呈させる上部ハウジングと、前記上部ハウジングの上部を開閉する、回動可能なカバーと、を備え、前記上部ハウジングは、前記液体収容容器の上部位置を規制するとともに、複数の前記注入口のそれぞれに対して対応する前記液体補充容器の誤装着を防止する誤装着防止部と、前記カバーの回動軸と、を備えていることを特徴とする。
【００１６】
本態様によれば、前記液体収容部の上部を構成する上部ハウジングが、前記液体収容容器の上部位置の規制と、複数の前記注入口のそれぞれに対応する前記液体補充容器の誤装着防止と、前記カバーの回動軸と、の機能を担うので、即ちこれらの機能を一部品で担うことができ、部品点数の抑制によりコストアップを抑制できる
【００１７】
本発明の第６の態様は、第５の態様において、前記液体収容部において前記液体収容容器を収容する収容区画の底部は、前記液体収容容器の下部が固定される下部フレームにより構成され、前記収容区画の少なくとも一つの内壁と天面は、下部が前記下部フレームに固定される補強フレームにより構成され、前記上部ハウジングは、底部において前記補強フレームに固定されることを特徴とする。  
本態様によれば、前記補強フレームによって前記液体収容部の剛性が向上するとともに、前記上部ハウジングをより強固に固定できる。
【００１８】
本発明の第７の態様は、第１のまたは第２の態様において、前記液体収容容器は、液体補充容器から液体を注入可能な注入口を備え、前記注入口は、装置奥行き方向において前記液体収容部の前面と、前記操作パネルにおける少なくとも上端部との間に位置していることを特徴とする。  
本態様によれば、液体補充容器から液体を注入可能な注入口が、装置奥行き方向において前記液体収容部の前面と、前記操作パネルにおける少なくとも上端部との間に位置している構成において、上述した第１のまたは第２の態様の作用効果が得られる。
【００１９】
本発明の第８の態様は、第１のまたは第２の態様において、前記液体収容容器は、液体補充容器から液体を注入可能な注入口を備え、前記液体収容部は、前記液体収容容器に接続されたバッファー部が備える大気開放口と、前記注入口及び前記大気開放口の上部を開閉する回動可能なカバーと、前記カバーの開閉を検出する検出手段と、を備え、前記検出手段が、前記注入口及び前記大気開放口の形成領域外に設けられていることを特徴とする。  
本態様によれば、前記検出手段が、前記注入口及び前記大気開放口の形成領域外に設けられている構成において、上述した第１のまたは第２の態様の作用効果が得られる。
【００２０】
本発明の第９の態様は、第１のまたは第２の態様において、前記液体噴射部を備える装置本体の上部に、画像を読み取る画像読取部を備え、前記画像読取部が閉じた状態において当該画像読取部の前面と、前記操作パネルの前面とが揃っていることを特徴とする。
【００２１】
本態様によれば、前記液体噴射部を備える装置本体の上部に、画像を読み取る画像読取部を備える構成において、前記画像読取部が閉じた状態において当該画像読取部の前面と、前記操作パネルの前面とが揃っているので、よりデザイン性に優れた液体噴射装置を得ることができる。
【００２２】
本発明の第１０の態様は、第１のまたは第２の態様において、前記液体収容部の側面と、装置側面とが揃っていることを特徴とする。
【図面の簡単な説明】
【００２３】
【図１】本発明に係るプリンターにおいてＡＤＦの非給送状態を示す外観斜視図。
【図２】本発明に係るプリンターにおいてＡＤＦの給送状態を示す外観斜視図。
【図３】本発明に係るプリンターを上方からみた断面図。
【図４】本発明に係るプリンターの側面図。
【図５】本発明に係るプリンターの施錠手段載置部及び施錠手段を示す外観斜視図。
【図６】本発明に係るプリンターの施錠手段載置部を示す外観斜視図。
【図７】本発明に係るプリンターの施錠手段載置部、施錠手段が閉じた状態のスキャナー本体に覆われている状態を示す側断面図。
【図８】インク収容部に対してインク収容部カバーが閉じた状態を示す断面図。
【図９】インク収容部カバーの回動軸部を示す断面図。
【図１０】インク収容部カバーを下方から見た斜視図。
【図１１】インク収容部カバーを取り外した状態のインク収容部の斜視図。
【図１２】インク収容部においてロックレバーを開いた状態を示す斜視図。
【図１３】インク収容部のインク注入口及びバッファー部の大気開放口を示す斜視図。
【図１４】インク収容部下部に設けられたインクタンクのインク残量確認部を示す斜視図。
【図１５】インクタンクの側面図。
【図１６】インク収容部において補強フレームを取り外した状態を示す斜視図。
【図１７】補強フレームの外観斜視図。
【図１８】インク収容部において上部ハウジングを取り外した状態を示す斜視図。
【図１９】インク収容部において外装部品を取り外した状態を示す斜視図。
【図２０】インク残量確認部におけるインクタンクと外装部品との関係を示す断面図。
【図２１】プリンター本体の側面に設けられたコネクター接続部の外観斜視図。
【図２２】本実施例に係るプリンターの他の実施例を示す外観斜視図。
【発明を実施するための形態】
【００２４】
以下、本発明の実施の形態を図面に基づいて説明する。尚、各実施例において同一の構成については、同一の符号を付し、最初の実施例においてのみ説明し、以後の実施例においてはその構成の説明を省略する。
【００２５】
図１は本発明に係るプリンターにおいてＡＤＦの非給送状態を示す外観斜視図であり、図２は本発明に係るプリンターにおいてＡＤＦの給送状態を示す外観斜視図であり、図３は本発明に係るプリンターを上方からみた断面図であり、図４は本発明に係るプリンターの側面図であり、図５は本発明に係るプリンターの施錠手段載置部及び施錠手段を示す外観斜視図であり、図６は本発明に係るプリンターの施錠手段載置部を示す外観斜視図であり、図７は本発明に係るプリンターの施錠手段載置部、施錠手段が閉じた状態のスキャナー本体に覆われている状態を示す側断面図である。
【００２６】
図８はインク収容部に対してインク収容部カバーが閉じた状態を示す断面図であり、図９はインク収容部カバーの回動軸部を示す断面図であり、図１０はインク収容部カバーを下方から見た斜視図であり、図１１はインク収容部カバーを取り外した状態のインク収容部の斜視図であり、図１２はインク収容部においてロックレバーを開いた状態を示す斜視図であり、図１３はインク収容部のインク注入口及びバッファー部の大気開放口を示す斜視図であり、図１４はインク収容部下部に設けられたインクタンクのインク残量確認部を示す斜視図である。
【００２７】
図１５はインクタンクの側面図であり、図１６はインク収容部において補強フレームを取り外した状態を示す斜視図であり、図１７は補強フレームの外観斜視図であり、図１８はインク収容部において上部ハウジングを取り外した状態を示す斜視図であり、図１９はインク収容部において外装部品を取り外した状態を示す斜視図であり、図２０はインク残量確認部におけるインクタンクと外装部品との関係を示す断面図であり、図２１はプリンター本体の側面に設けられたコネクター接続部の外観斜視図であり、図２２は本実施例に係るプリンターの他の実施例を示す外観斜視図である。
【００２８】
また、各図において示すＸ−Ｙ−Ｚ座標系はＸ方向が記録媒体の幅方向、すなわち装置奥行き方向を示し、Ｙ方向が記録装置内の搬送経路における記録媒体の搬送方向、すなわち装置幅方向を示し、Ｚ方向が装置高さ方向を示している。
【００２９】
■■■第１の実施例■■■■
＜＜＜発明の概要＞＞＞
本実施例では、インクタンクを備えるインク収容部を装置前面側に設けるとともに、装置奥行き方向前面側におけるインク収容部と媒体受けトレイあるいは媒体収容部との位置を揃えることでデザイン性及び強度の双方を優れた構成とすることを基本構想としている。
【００３０】
＜＜＜液体噴射装置の概要＞＞＞
【００３１】
図１及び図２を参照して本発明に係るプリンター１０の全体構成について概説する。プリンター１０は、液体噴射装置の一例として、インクジェットプリンターとして構成されている。プリンター１０は、装置本体１２と、「画像読取部」としてのスキャナーユニット１４とを備える複合機として構成されている。
【００３２】
本実施例において、スキャナーユニット１４は、装置本体１２の装置奥行き方向背面側端部に回動可能に接続されており、図示しないがスキャナーユニット１４を装置背面側に回動させることで、装置本体１２の上部を露呈させるように構成されている。また、スキャナーユニット１４は、スキャナー本体１６と、ＡＤＦ部１８とを備えている。また、ＡＤＦ部１８は、一例としてスキャナー本体１６の装置奥行き方向背面側端部に回動可能に接続されている。そして、ＡＤＦ部１８をスキャナー本体１６に回動させることで、スキャナー本体１６に設けられた原稿載置面（不図示）を露出させることができ、原稿載置面に原稿をセットすることができる。
【００３３】
また、ＡＤＦ部１８は、原稿載置トレイ１８ａと、原稿排出トレイ１８ｂとを備えている。原稿載置トレイ１８ａ及び原稿排出トレイ１８ｂは、図１に示す格納状態と図２に示す展開状態とを切換可能である。そして、原稿載置トレイ１８ａ及び原稿排出トレイ１８ｂが展開状態にある場合、原稿載置トレイ１８ａに載置された原稿を不図示の給送手段で原稿載置面（不図示）に送り、原稿の画像を画像読取手段（不図示）によって読み取った後、原稿排出トレイ１８ｂに排出することができる。  
以上のように図１に示す格納状態の場合、デザイン性に優れた天面がフラットになるような構成となっている。
【００３４】
次に、装置本体１２の構成について説明する。装置本体１２の装置奥行き方向前面側には、装置本体１２に対して回動可能な操作パネル２０が設けられている。操作パネル２０には、表示パネル等の表示部及び複数の操作ボタンが設けられている。また、操作パネル２０は、装置本体１２に対して閉じた状態（図１及び図２参照）と、装置本体１２に対して開いた状態（図４参照）とを切換可能である。
【００３５】
さらに、装置本体１２の装置奥行き方向前面側において、操作パネル２０の装置高さ方向下方には排出口２２が設けられている。そして、排出口２２の装置高さ方向下方には媒体受けトレイ２４が設けられている。そして、後述する、「液体噴射部」としての記録ヘッド２６において記録が行われた媒体は、排出口２２を通って媒体受けトレイ２４に排出される。
【００３６】
媒体受けトレイ２４の装置高さ方向下方には、媒体収容部２８が設けられている。媒体収容部２８は、装置本体１２に対して装置奥行き方向前面側から挿抜可能に取り付けられており、内部に媒体を収容可能に構成されている。
【００３７】
また、装置本体１２の装置奥行き方向前面側において装置幅方向右側端部には、「液体」としてのインクを収容する、後述するインクタンク３０を少なくとも１つ以上備えるインク収容部３２が設けられている。ここで、インク収容部３２は、装置本体１２の装置前面側において図１及び図２に示すように閉じた状態の操作パネル２０よりも装置前方側に突出している。
【００３８】
また、図４を参照するに、装置奥行き方向において媒体受けトレイ２４及び媒体収容部２８は閉じた状態の操作パネル２０よりも装置前方側に突出している。そして、装置奥行き方向において媒体受けトレイ２４の前面２４ａの位置及び媒体収容部２８の前面２８ａの位置は、インク収容部３２の前面３２ａの位置と揃っている。尚、本実施例において「装置奥行き方向において位置が揃っている」とは、装置奥行き方向において媒体受けトレイ２４の前面２４ａの位置と、インク収容部３２の前面３２ａの位置とが完全に同一の位置にある場合だけでなく、これらの位置が装置奥行き方向に多少ずれていてもほぼ同一とみなせる場合も含んでいる。また、同様に媒体収容部２８の前面２８ａの位置とインク収容部３２の前面３２ａの位置とが装置奥行き方向に多少ずれていてもほぼ同一とみなせる場合も含んでいる。さらに、その他の構成、例えば、操作パネル２０の前面２０ａとスキャナーユニット１４の前面１４ａの位置においても同様にほぼ同一とみなせる場合を含んでいる。また、図１ないし図３に示すようにインク収容部３２の側面３２ｂと、装置側面、すなわち装置本体１２の側面１２ａは装置幅方向において揃っている。
【００３９】
図４に示すように、媒体受けトレイ２４、媒体収容部２８及びインク収容部３２を閉じた状態の操作パネル２０よりも装置前方側に突出するように構成したことにより、装置奥行き方向において開いた状態の操作パネル２０が媒体受けトレイ２４の前面２４ａ、媒体収容部２８の前面２８ａ及びインク収容部３２の前面３２ａより突出する突出量を小さくできる。
【００４０】
また、図１及び図２に示すように、閉じた状態のスキャナーユニット１４の前面１４ａと閉じた状態の操作パネル２０の前面２０ａとは、装置本体１２の前面において同一面を形成するように構成されている。すなわち、装置奥行き方向において閉じた状態のスキャナーユニット１４の前面１４ａの位置は、閉じた状態の操作パネル２０の前面２０ａの位置と揃っている。
【００４１】
次いで、図３を参照するに、装置奥行き方向において操作パネル２０及びインク収容部３２の背面側には、装置幅方向に移動可能なキャリッジ３４が設けられている。キャリッジ３４は、駆動モーター３６の駆動力を受けて駆動するキャリッジ駆動手段３８により装置幅方向に往復動させられる。
【００４２】
また、キャリッジ３４の下部には記録ヘッド２６が設けられている。そして、キャリッジ３４の装置幅方向への移動領域内において記録ヘッド２６の下方には、記録ヘッド２６と対向する媒体支持部材４０が設けられている。
【００４３】
ここで、媒体収容部２８に収容された媒体は、不図示の給送手段により媒体収容部２８から、記録ヘッド２６と対向する領域に給送される。そして、記録ヘッド２６と対向する領域に送られた媒体は、記録ヘッド２６と対向する面に記録ヘッド２６から吐出されるインクを受けて記録が実行される。尚、記録ヘッド２６と対向する領域に送られた媒体は、記録面と反対側の面を媒体支持部材４０に支持されて、搬送方向下流側に送られる。そして、記録ヘッド２６により記録が行われた媒体は、排出口２２を通って媒体受けトレイ２４に排出される。
【００４４】
また、キャリッジ３４の移動領域の背面側には、一例として制御部４１が設けられている。制御部４１は、複数の電子部品から構成される電気回路として構成されている。制御部４１は、スキャナーユニット１４、駆動モーター３６、キャリッジ駆動手段３８、キャリッジ３４、記録ヘッド２６、その他、不図示の給送手段や搬送手段等の制御を行うように構成されている。すなわち、制御部４１は、媒体の給送、搬送、排出、記録動作、原稿読取動作等のプリンター１０における記録及び画像読取の実行に必要な動作を制御している。
【００４５】
また、制御部４１は操作パネル２０と電気的に接続されており、ユーザーの操作パネル２０における操作入力に基づいてプリンター１０の制御を行う。また、制御部４１は外部（ＰＣなど）からの指示でプリンター１０の記録及び画像読取の実行に必要な動作を制御してもよい。また、制御部４１は、記録ヘッド２６のヘッド面のノズルにおけるインクの吐出を制御する。また、制御部４１は、操作パネル２０に設けられた表示部に情報を表示させる。
【００４６】
＜＜＜インク収容部カバーについて＞＞＞
図５ないし図１０を参照してインク収容部カバー４２について説明する。図５及び図１２に示すようにインク収容部カバー４２は、インク収容部３２の上部に回動可能に取り付けられている。そして、インク収容部カバー４２は、図１２に示すように装置奥行き方向背面側に回動させることにより、インク収容部３２の上部を露呈させる。
【００４７】
また、インク収容部カバー４２の上部４２ａは、スキャナー本体１６の装置前面側かつ装置右側の端部の形状に応じた形状に切り欠かれている。そして、上部４２ａには、図６に示すように施錠手段載置部４２ｂが設けられている。また、上部４２ａにおいて施錠手段載置部４２ｂに対応する位置に開口４２ｃが設けられている。開口４２ｃには、インク収容部３２の上部から装置高さ方向上方に突出する施錠手段掛止部４４が通されている。そして、施錠手段掛止部４４の先端部分は、開口４２ｃから装置高さ方向上方に向けて突出している。尚、本実施例において開口４２ｃ及び施錠手段掛止部４４は施錠部４６を構成する。
【００４８】
また、施錠手段掛止部４４の先端部分には、貫通孔４４ａが形成されている。そして、図５に示すように施錠手段載置部４２ｂに載置された施錠手段４８の掛け金４８ａを貫通孔４４ａに通した状態で施錠することで、インク収容部カバー４２のインク収容部３２に対する回動が規制される。尚、本実施例において、施錠手段４８は、一例として南京錠（パッドロック）としたが、その他の錠前としてもよい。
【００４９】
また、図７を参照するに、インク収容部カバー４２が施錠された状態（図５参照）において、スキャナー本体１６を装置本体１２に対して閉じると、施錠手段載置部４２ｂ、施錠部４６及び施錠手段４８の上方にスキャナー本体１６の装置前面側端部の一部が位置する。したがって、施錠手段載置部４２ｂ、施錠部４６及び施錠手段４８がスキャナー本体１６により覆われる。
【００５０】
次いで、図８ないし図１０を参照するに、インク収容部カバー４２の装置奥行き方向背面側端部には、軸受け部４２ｄが形成されている。そして、軸受け部４２ｄには、図７ないし図９に示すように後述する上部ハウジング５０に設けられた回動軸５２が嵌合されている。ここで、回動軸５２の外周面の一部は、軸受け部４２ｄに挿入し易くするために一部が切り欠かれて平面５２ａが形成されている。
【００５１】
また、図１０に示すように、インク収容部カバー４２の装置奥行き方向背面側端部には、装置奥行き方向背面側に突出する第１抜け止め部４２ｅが設けられている。また、インク収容部カバー４２の装置幅方向左側端部には、当該左側端部から装置幅方向左方に突出するピン状の第２抜け止め部４２ｆが設けられている。
【００５２】
また、装置本体１２において操作パネル２０及びインク収容部３２の装置奥行き方向背面側には、装置本体１２の一部を形成するフレーム部材５４が設けられている。フレーム部材５４には、第１規制部５４ａと、第２規制部５４ｂとが形成されている。第１規制部５４ａ及び第２規制部５４ｂは、フレーム部材５４において下方側から上方側に向かって凹む凹部として形成されている。
【００５３】
そして、インク収容部カバー４２がインク収容部３２に取り付けられた状態において、図１０に示すように第１規制部５４ａには、第１抜け止め部４２ｅが入り込み、第２規制部５４ｂには第２抜け止め部４２ｆが入り込んでいる。そして、インク収容部カバー４２を閉じた状態から開いた状態へ回動させようとすると、第１抜け止め部４２ｅは第１規制部５４ａから抜け出る方向に移動し、ピン状の第２抜け止め部４２ｆは第２規制部５４ｂ内で回動するので、インク収容部カバー４２の回動は規制されない。
【００５４】
ここで、図９に示すように回動軸５２において装置奥行き方向前面側及び背面側において平面５２ａが形成されているので、インク収容部カバー４２の軸受け部４２ｄに挿入し易い一方、脱落し易くなっている。ここで、図１０に示すようにインク収容部カバー４２がインク収容部３２に取り付けられた状態において、インク収容部カバー４２をインク収容部３２に対して装置高さ方向上方に持ち上げようとすると、第１抜け止め部４２ｅは第１規制部５４ａと係合し、第１規制部５４ａにより装置高さ方向への変位が規制される。同様に、第２抜け止め部４２ｆも第２規制部５４ｂと係合し、第２規制部５４ｂにより装置高さ方向への変位が規制される。したがって、インク収容部カバー４２が上部ハウジング５０、ひいてはインク収容部３２において容易に脱落することを抑制できる。
【００５５】
また、インク収容部カバー４２の下部には、装置高さ方向下方側に突出するセンサー検出部４２ｇと、装置幅方向に延びるリブ状のロックレバー規制部４２ｈとが形成されている。
【００５６】
まず、センサー検出部４２ｇについて説明する。センサー検出部４２ｇは、インク収容部カバー４２がインク収容部３２に対して閉じた状態において検出センサー５６により検出されるように構成されている。より具体的に説明すると、インク収容部３２の上部に設けられた上部ハウジング５０には上方に向かって開口する開口部５０ａ（図１１ないし図１３参照）が形成されている。
【００５７】
そして、開口部５０ａに対応する位置には、検出センサー５６（図１８参照）が設けられている。検出センサー５６は、一例として光学式センサーとして構成されている。そして、インク収容部カバー４２がインク収容部３２に対して閉じる方向に回動し、センサー検出部４２ｇが開口部５０ａ内に入り込むと、検出センサー５６がセンサー検出部４２ｇを検出する。これにより、インク収容部カバー４２がインク収容部３２に対して閉じられたことが検出される。
【００５８】
尚、検出センサー５６がセンサー検出部４２ｇを検出すると、制御部４１は、インク収容部３２に設けられたインクタンク３０におけるインク残量の値を初期値に戻す。ここで、制御部４１は、記録ヘッド２６からのインク吐出量等に基づいてインクタンク３０内のインク残量を算出する。そして、制御部４１は、インク収容部カバー４２がインク収容部３２に対して閉じられたことによりインクタンク３０にインクが補充されたものとして、新たにインク残量の算出を開始し、インク残量の監視を行う。そして、一例として制御部４１はインクタンク３０のインク残量が所定値以下になると操作パネル２０の表示部に表示を行ってインクの補充をユーザーに通知する。
【００５９】
ついで、ロックレバー規制部４２ｈについて説明する。図１３を参照するに上部ハウジング５０の装置奥行き方向背面側端部には、上述したインク収容部カバー４２を回動させる回動支点としての回動軸５２が装置幅方向に間隔をおいて設けられている。そして、装置奥行き方向において回動軸５２の前面側には、複数の回動軸５８が後述するインク注入口６０（図１９参照）の数に対応して装置幅方向に沿って設けられている。尚、図１３においてインク注入口６０は、インク注入口カバー６２が取り付けられた状態を図示している。
【００６０】
そして、図１１及び図１２を参照するに、回動軸５８には、ロックレバー６４が取り付けられている。ロックレバー６４は、回動軸５８を回動支点として回動可能であり、閉じた状態（図１１参照）と、開いた状態（図１２参照）とを切換可能である。また、ロックレバー６４には、インク注入口カバー６２が取り付けられている。そして、ロックレバー６４は、上部ハウジング５０に対して閉じた状態となると、インク注入口カバー６２がインク注入口６０を覆ってインク注入口６０からインクが漏れることを防止、あるいは低減する。
【００６１】
さらに、インク収容部カバー４２をインク収容部３２に対して閉じると、図７に示すようにロックレバー規制部４２ｈは、閉じた状態のロックレバー６４と係合する。ここで、ロックレバー６４が上部ハウジング５０に対して完全に閉じた状態であると、インク収容部カバー４２はインク収容部３２に対して完全に閉じることができる。
【００６２】
一方で、ロックレバー６４が上部ハウジング５０に対して浮いた状態（完全に閉じていない状態）であると、インク収容部カバー４２はインク収容部３２に対して完全に閉じることができず、外観上、インク収容部カバー４２とインク収容部３２との間に隙間が生じる。その結果、ユーザーは、ロックレバー６４が完全に閉じていないと判断することができる。そして、ユーザーがインク収容部カバー４２を閉じる方向に押圧することで、ロックレバー規制部４２ｈはロックレバー６４を装置高さ方向下方側、すなわちロックレバー６４が閉じる方向に押圧し、ロックレバー６４を完全に閉じることができる。その結果、インク収容部カバー４２を完全に閉じることができる。
【００６３】
また、図１２に示すように、インク収容部カバー４２がインク収容部３２に対して開いた状態にある際、ロックレバー６４を上部ハウジング５０に対して回動させて開くと、ロックレバー６４がロックレバー規制部４２ｈと係合し、所定角度以上開かないように設定されている。つまり、ロックレバー６４が装置奥行き方向背面側に回動しすぎて、ロックレバー６４がインク収容部カバー４２内に入り込んでユーザーがロックレバー６４を掴み難くなる等の、ロックレバー６４の操作性の悪化を抑制できる。
【００６４】
＜＜＜インク注入口及び大気開放口について＞＞＞
また、図１３及び図１９を参照するに、上部ハウジング５０には、インクタンク３０のインク注入口６０の数に対応して誤装着防止部６６Ａ、６６Ｂ、６６Ｃ、６６Ｄ（以下区別して説明しない場合、誤装着防止部６６とする）が設けられている。誤装着防止部６６は、上部ハウジング５０の上部においてインク注入口６０の周囲を取り囲むスロット状の凹部として形成されている。そして、誤装着防止部６６Ａ、６６Ｂ、６６Ｃ、６６Ｄ内には、凸部、あるいは凹部が適宜形成されており、各誤装着防止部６６Ａ、６６Ｂ、６６Ｃ、６６Ｄにおける凸部、あるいは凹部の配置パターンはそれぞれ異なる。
【００６５】
そして、図示しないが、誤装着防止部６６には、インクタンク３０にインクを補充する「液体補充容器」としてのインク補充容器が取り付けられ、インク注入口６０を介してインクタンク３０内にインクが補充される。尚、本実施例においてインク収容部３２は、収容されるインクの色に応じて４つのインクタンク３０Ａ、３０Ｂ、３０Ｃ、３０Ｄを備えている。一例として、インクタンク３０Ａにはブラックインクが、インクタンク３０Ｂ、３０Ｃ、３０Ｄには、シアン、マゼンタ、イエローの各色のインクが収容されている。尚、本実施例においてインクタンク３０Ａは、他のインクタンク３０Ｂ、３０Ｃ、３０Ｄよりも大容量のインクタンクとして構成されている。
【００６６】
また、一例として、誤装着防止部６６Ａはインクタンク３０Ａに対応し、誤装着防止部６６Ｂはインクタンク３０Ｂに対応し、誤装着防止部６６Ｃはインクタンク３０Ｃに対応し、誤装着防止部６６Ｄはインクタンク３０Ｄに対応している。
【００６７】
そして、各インクタンク３０Ａ、３０Ｂ、３０Ｃ、３０Ｄに対応して、それぞれの色のインクを補充するインク補充容器が準備されている。各インク補充容器は、各インクタンク３０Ａ、３０Ｂ、３０Ｃ、３０Ｄに対応する誤装着防止部６６Ａ、６６Ｂ、６６Ｃ、６６Ｄのそれぞれの形状に合わせた取り付け部を備えている。例えば、インクタンク３０Ａに対応するインク補充容器の取り付け部を、誤装着防止部６６Ｂ、６６Ｃ、６６Ｄのいずれかに取り付けようとしても、取り付け部の形状と誤装着防止部６６Ｂ、６６Ｃ、６６Ｄの形状が一致せず、取り付けることができない。
【００６８】
すなわち、各インクタンク３０Ａ、３０Ｂ、３０Ｃ、３０Ｄに対応するインク補充容器は、それぞれ対応するインクタンク３０の誤装着防止部６６にしか取り付けることができず、インク補充容器の誤装着を防止でき、インクタンク３０内に異なる色のインクを誤って補充することを防止できる。
【００６９】
また、上部ハウジング５０には、装置奥行き方向において誤装着防止部６６と回動軸５８との間に後述するバッファー部６８の大気開放口７０Ａ、７０Ｂ、７０Ｃ、７０Ｄが設けられている。
【００７０】
また、図１３に示すように、インク注入口６０は装置奥行き方向において、インク収容部３２の前面３２ａと、操作パネル２０の上端部２０ｂとの間に位置している。また、開口部５０ａ及び検出センサー５６（図１８参照）は、装置幅方向においてインク注入口６０及び大気開放口７０の形成領域の外側に設けられている。
【００７１】
＜＜＜インク収容部の構成について＞＞＞
次いで、図１１ないし図２０を参照してインク収容部３２についてさらに説明する。図１１に示すようにインク収容部３２は、少なくとも装置幅方向右方、左方及び装置奥行き方向前面側を外装部材７２により覆われている。外装部材７２は、図１３及び図１９に示すように上部ハウジング５０の装置奥行き方向前面側に設けられた２箇所の締結部５０ｂに締結部材７４を介して締結されている。締結部材７４は、一例としてねじとして構成されている。
【００７２】
また、図１１及び図１４を参照するに外装部材７２の装置奥行き方向前面側には、複数の開口部７２ａが形成されている。各開口部７２ａは、装置幅方向においてインクタンク３０Ａ、３０Ｂ、３０Ｃ、３０Ｄが設けられた位置に対応して開口されている。そして、開口部７２ａは、装置高さ方向において延びている。したがって、ユーザーは装置奥行き方向前面側から各開口部７２ａを介してインクタンク３０Ａ、３０Ｂ、３０Ｃ、３０Ｄを視認することができる。
【００７３】
ここで、図１５を参照するにインクタンク３０は、装置高さ方向下方側において装置奥行き方向前後方向に延びるインク収容部３０ａと、インク収容部３０ａから装置高さ方向上方に向けて突出するインク注入部３０ｂとを備えている。そして、インク注入部３０ｂの上部にはインク注入口６０が設けられている。また、インク収容部３０ａの下部には、締結部３０ｃが設けられている。また、本実施例では、装置幅方向においてインク収容部３０ａの左側面は開口されている。そして、その開口を塞ぐようにフィルム部材７６がインク収容部３０ａの左側面に圧着されて、インク収容部３０ａが密封されている。また、フィルム部材７６は、インク収容部３０ａよりも外方にはみ出るように圧着されている。
【００７４】
また、本実施例においてインクタンク３０の装置奥行き方向前面側は、その内部におけるインク残量が視認できるように構成されている。より具体的には、インクタンク３０は透明、あるいは半透明の材料により形成されている。そして、インクタンク３０の前面側には、インク残量を確認できるように凹形状あるいは凸形状の目盛り３０ｄが付されている。
【００７５】
そして、図１４に示すように、外装部材７２において開口部７２ａが設けられた部位において装置奥行き方向前面側にインクタンク３０の目盛りと装置高さ方向において一致するように凹形状あるいは凸形状の目盛り７２ｄが付されている。また、開口部７２ａの側部においても同様にインクタンク３０の目盛りと装置高さ方向において一致するように凹形状あるいは凸形状の目盛り７２ｅが付されている。
【００７６】
このように外装部材７２の前面側だけでなく、開口部７２ａの側部においてもインクタンク３０の目盛り３０ｄと装置高さ方向において一致するように凹形状あるいは凸形状の目盛り７２ｅを設けることで、ユーザーがインク収容部３２の正面側の位置からインクタンク３０を見るのではなく、装置幅方向にずれた位置からインクタンク３０を見た場合、インクタンク３０の目盛り３０ｄと開口部７２ａの側部の目盛り７２ｅとが一体に見えて、より正確にインクタンク３０のインク残量を把握することができる。
【００７７】
また、外装部材７２において装置幅方向右側面には開口部７２ｂが形成されている。開口部７２ｂは、装置奥行き方向に沿って延びている。そして、ユーザーは開口部７２ｂを介してインクタンク３０Ｄの側面を視認できる。これにより、ユーザーは、インクタンク３０の前面側だけでなく側面も目視可能であるので、インクタンク３０内のインク残量を確認するだけでなく、インクタンク３０にインクを補充する際、インクタンク３０に補充したインクの量をより実感することができる。
【００７８】
次いで、図１６を参照するに、装置本体１２の底部の一部を成す下部フレーム７８は、インクタンク３０を収容する収容区画８０の底部を構成している。また、下部フレーム７８の一部は、収容区画８０の装置幅方向左側端部において装置高さ方向上方に立ち上がっており、収容区画８０の装置幅方向左側の内壁７８ａを形成する。そして、下部フレーム７８には、締結部材８２をインクタンク３０の締結部３０ｃに対して締め付けることにより、インクタンク３０Ａ、３０Ｂ、３０Ｃ、３０Ｄが取り付けられる。一例として、インクタンク３０Ａ、３０Ｂ、３０Ｃ、３０Ｄは、装置幅方向左側から右側に向かって整列されて下部フレーム７８に取り付けられている。尚、本実施例において締結部材８２はねじ部材として構成されている。
【００７９】
また、インクタンク３０のインク収容部３０ａの装置高さ方向上方かつインク注入部３０ｂの装置奥行き方向背面側には複数のバッファー部６８（図３も参照）が設けられている。尚、バッファー部６８は、インクタンク３０Ａ、３０Ｂ、３０Ｃ、３０Ｄにそれぞれ対応するように設けられている。そして、複数のバッファー部６８は、インクタンク３０Ａ、３０Ｂ、３０Ｃ、３０Ｄとそれぞれ接続されている。そして、例えば、プリンター１０の周囲の気温が上昇した際、インク注入口カバー６２がインク注入口６０を閉鎖した状態であるとインクタンク３０内の気圧が高まり、インクタンク３０に収容されたインクがバッファー部６８内に押し出されることがある。
【００８０】
一例として、各バッファー部６８におけるインク収容可能量は、インクタンク３０のインク収容量と略同じ量、あるいはそれ以上に設定されている。したがって、インクタンク３０に収容されたインクがバッファー部６８内に流れ込んでも、バッファー部６８からインクが漏れ出ることを防止、あるいは抑制できる。そして、プリンター１０の周囲の気温が下がり、インクタンク３０内の気圧が下がると、バッファー部６８内に押し出されたインクは、インクタンク３０内に戻される。
【００８１】
図１７には補強フレーム８４が図示されている。補強フレーム８４は、一例として金属材料により形成されている。そして、補強フレーム８４は、天面８４ａと内壁８４ｂとを備えている。天面８４ａはインク収容部３２の収容区画８０の天面を構成し、内壁８４ｂはインク収容部３２の収容区画８０の装置幅方向右側の内壁を構成する。また、天面８４ａにはフック８４ｃが設けられ、内壁８４ｂにはフック８４ｄが設けられている。フック８４ｃ及びフック８４ｄは下部フレーム７８に補強フレーム８４を取り付ける際、下部フレーム７８に掛止される。
【００８２】
また、天面８４ａには、開口部８４ｅが設けられている。さらに天面８４ａには、締結部８４ｆが設けられている。一例として締結部８４ｆは４箇所設けられている。また、内壁８４ｂには、開口部８４ｇが設けられている。開口部８４ｇは、外装部材７２の開口部７２ｂに対応する位置、かつ開口部７２ｂに対応する大きさに形成されている。
【００８３】
そして、図１８に示すように、フック８４ｃを収容区画８０の内壁７８ａに掛止させ、フック８４ｄを収容区画８０の底部を構成する下部フレーム７８に掛止させて下部フレーム７８に補強フレーム８４を取り付ける。そして、補強フレーム８４の装置奥行き方向背面側端部は、締結部材８６により下部フレーム７８に締結されている。尚、本実施例において締結部材８６はねじ部材として構成されている。
【００８４】
この状態においてインクタンク３０Ａ、３０Ｂ、３０Ｃ、３０Ｄのインク注入部３０ｂは、補強フレーム８４の開口部８４ｅから装置高さ方向上方側に突出するように構成されている。そして、下部フレーム７８に補強フレーム８４が取り付けられた状態では、収容区画８０を構成する内壁７８ａと内壁８４ｂとの間にインクタンク３０Ａ、３０Ｂ、３０Ｃ、３０Ｄが挟まれる形となって下部フレーム７８に取り付けられているので、インクタンク３０を収容区画８０においてより強固に固定できる。
【００８５】
次いで、図１９を参照するに、上部ハウジング５０がインクタンク３０のインク注入部３０ｂを覆うように、補強フレーム８４の天面８４ａに上部ハウジング５０が取り付けられる。具体的には、上部ハウジング５０は、締結部材８８により天面８４ａの締結部８４ｆに締結される。尚、本実施例において締結部材８８はねじ部材として構成されている。
【００８６】
また、上部ハウジング５０が天面８４ａに取り付けられた状態では、インク注入口６０が、各インクタンク３０に対応するように設けられているスロット状の誤装着防止部６６内に突出し、露呈している。そして、天面８４ａに取り付けられた状態の上部ハウジング５０がインクタンク３０のインク注入部３０ｂの位置を規定するので、インクタンク３０は、上部ハウジング５０及び補強フレーム８４を介して収容区画８０により強固に固定される。
【００８７】
ここで、図１９に示すように収容区画８０に固定されたインクタンク３０Ａ、３０Ｂ、３０Ｃ、３０Ｄにおいて、装置奥行き方向前面側にフィルム部材７６の一部がはみ出してしまう。そこで、図２０に示すように外装部材７２の装置奥行き方向前面側端部の裏面にフィルム部材７６のはみ出し部分を受け入れる複数のスリット７２ｃが設けられている。スリット７２ｃは、装置高さ方向上下方向に延設されており、装置幅方向においてインクタンク３０Ａ、３０Ｂ、３０Ｃ、３０Ｄのフィルム部材７６の位置に対応して設けられている。
【００８８】
＜＜＜コネクター接続部について＞＞＞
図２１を参照するに、プリンター１０において装置本体１２の装置幅方向左側の側部には、凹部９０が形成されている。凹部９０には、複数のコネクター接続部９２Ａ、９２Ｂ、９２Ｃが設けられている。具体的には、凹部９０において装置奥行き方向前面側の壁部９０ａに、第１コネクター接続部９２Ａ及び第２コネクター接続部９２Ｂが設けられている。一例として、第１コネクター接続部９２Ａは、ＬＡＮケーブルのコネクター接続部として構成され、第２コネクター接続部９２ＢはＵＳＢケーブルのコネクター接続部として構成されている。
【００８９】
また、凹部９０において装置奥行き方向背面側の壁部９０ｂに、第３コネクター接続部９２Ｃが設けられている。一例として、第３コネクター接続部９２Ｃは、ＦＡＸケーブルのコネクター接続部として構成されている。また、装置本体１２の背面側端部において凹部９０の下方、より具体的には第３コネクター接続部９２Ｃの下方には、電源ケーブルを接続するためのインレット９４が設けられている。
【００９０】
さらに、図４を参照するに、凹部９０の上面９０ｃと壁部９０ａとの接続部９０ｄはＲ状に形成されている。また、凹部９０の下面９０ｅと壁部９０ａとの接続部９０ｆもＲ状に形成されている。本実施例では、接続部９０ｄ、９０ｆをＲ状に形成したので、角部として形成した場合に比べて、ほこりやゴミが溜まりにくく、クリーニングがし易いとともにプリンター１０の美感を損ねることを抑制できる。
【００９１】
＜＜＜実施例の変更例＞＞＞
（１）本実施例において、インク収容部カバー４２には、軸受け部４２ｄを設け、上部ハウジング５０にインク収容部カバー４２の回動軸５２を設ける構成としたが、この構成に代えて、インク収容部カバー４２に回動軸を設け、上部ハウジング５０に軸受け部を設ける構成としてもよい。
（２）本実施例において、ロックレバー６４の回動軸５８を上部ハウジング５０に設ける構成としたが、この構成に代えて、ロックレバー６４の側に回動軸を設け、上部ハウジング５０側に軸受け部を設ける構成としてもよい。
【００９２】
（３）本実施例では装置本体１２の下部に媒体収容部２８を設けて、当該媒体収容部２８から不図示の給送手段により記録ヘッド２６に向けて媒体を給送する構成としたが、この構成に代えて、図２２に示すように、装置本体１２の下部に媒体収容部２８を設けずに、装置本体１２の背面側に給送部９６を設ける構成としてもよい。具体的には、装置本体１２の背面側に装置本体１２に対して回動可能な給送口カバー９８を設け、給送口カバー９８を開いた状態とし、装置本体１２の背面側に設けられた不図示の給送口から媒体を記録ヘッド２６に給送する構成である。尚、図２２における変更例では、一例としてＡＤＦ部１８の代わりに、スキャナー本体１６の原稿載置面を開け閉めするスキャナーカバー１００を設ける構成とした。
【００９３】
上記説明をまとめると、プリンター１０は、媒体に対してインクを噴射する記録ヘッド２６と、インクを収容するインクタンク３０を少なくとも一つ備えた、装置前面側に配置されるインク収容部３２と、装置前面側に配置された、各種操作を受け付ける操作パネル２０と、装置前面側に配置され、排出された媒体を受ける媒体受けトレイ２４と、を備え、インク収容部３２及び媒体受けトレイ２４は、共に操作パネル２０より前方側に突出しているとともに、インク収容部３２の前面３２ａの位置と媒体受けトレイ２４の前面２４ａの位置とが揃っている。この構成によれば、インク収容部３２及び媒体受けトレイ２４のいずれか一方が他方に対して突出している構成に比してデザイン性と強度の双方に優れた構成とすることができる。
【００９４】
プリンター１０は、媒体に対してインクを噴射する記録ヘッド２６と、インクを収容するインクタンク３０を少なくとも一つ備えた、装置前面側に配置されるインク収容部３２と、装置前面側に配置された、各種操作を受け付ける操作パネル２０と、装置前面側から媒体を収容可能な媒体収容部２８と、を備え、インク収容部３２及び媒体収容部２８は、共に操作パネル２０より前方側に突出しているとともに、インク収容部３２の前面３２ａの位置と媒体収容部２８の前面２８ａの位置とが揃っている。この構成によれば、インク収容部３２及び媒体収容部２８のいずれか一方が他方に対して突出している構成に比してデザイン性と強度の双方に優れた構成とすることができる。
【００９５】
インク収容部３２は、インクタンク３０の少なくとも一部を開閉する回動可能なインク収容部カバー４２と、インク収容部カバー４２を閉じた状態で施錠する施錠手段４８によって施錠する施錠部４６と、施錠手段４８を載置する施錠手段載置部４２ｂとを備える。この構成によれば、インク収容部カバー４２を閉状態で施錠することができ、インクタンク３０への不用意なアクセスを抑制できる。
【００９６】
記録ヘッド２６を備える装置本体１２の上部に、画像を読み取るスキャナーユニット１４を備え、スキャナーユニット１４は、装置本体１２の上部を開閉可能に設けられるとともに、閉じた状態において施錠手段載置部４２ｂを覆う。この構成によれば、スキャナーユニット１４を閉じた状態で施錠手段４８を隠すことができ、よりデザイン性に優れたプリンター１０を得ることができる。
【００９７】
インクタンク３０は、インク補充容器からインクを注入可能なインク注入口６０を備え、インク収容部３２は、複数のインクタンク３０と、インクタンク３０の上部に設けられ、インク注入口６０を露呈させる上部ハウジング５０と、上部ハウジング５０の上部を開閉する、回動可能なインク収容部カバー４２と、を備え、上部ハウジング５０は、インクタンク３０の上部位置を規制するとともに、複数のインク注入口６０のそれぞれに対して対応するインク補充容器の誤装着を防止する誤装着防止部６６と、インク収容部カバー４２の回動軸５２と、を備えている。
【００９８】
上記構成によれば、インク収容部３２の上部を構成する上部ハウジング５０が、インクタンク３０の上部位置の規制と、複数のインク注入口６０のそれぞれに対応するインク補充容器の誤装着防止と、インク収容部カバー４２の回動軸５２と、の機能を担うので、即ちこれらの機能を一部品で担うことができ、部品点数の抑制によりコストアップを抑制できる。
【００９９】
インク収容部３２においてインクタンク３０を収容する収容区画８０の底部は、インクタンク３０の下部が固定される下部フレーム７８により構成され、収容区画８０の少なくとも一つの内壁８４ｂと天面８４ａは、下部が下部フレーム７８に固定される補強フレーム８４により構成され、上部ハウジング５０は、底部において補強フレーム８４に固定される。この構成によれば、補強フレーム８４によってインク収容部３２の剛性が向上するとともに、上部ハウジング５０をより強固に固定できる。
【０１００】
インクタンク３０は、インク補充容器からインクを注入可能なインク注入口６０を備え、インク注入口６０は、装置奥行き方向においてインク収容部３２の前面３２ａと、操作パネル２０における少なくとも上端部２０ｂとの間に位置している。
【０１０１】
インクタンク３０は、インク補充容器からインクを注入可能なインク注入口６０を備え、インク収容部３２は、インクタンク３０に接続されたバッファー部６８が備える大気開放口７０と、インク注入口６０及び大気開放口７０の上部を開閉する回動可能なインク収容部カバー４２と、インク収容部カバー４２の開閉を検出する検出センサー５６、を備え、検出センサー５６が、インク注入口６０及び大気開放口７０の形成領域外に設けられている。
【０１０２】
記録ヘッド２６を備える装置本体１２の上部に、画像を読み取るスキャナーユニット１４を備え、スキャナーユニット１４が閉じた状態において当該スキャナーユニット１４の前面１４ａと、操作パネル２０の前面２０ａとが揃っている。この構成によれば、よりデザイン性に優れたプリンター１０を得ることができる。  
また、図１に示すようにスキャナーユニット１４の上面がフラットな構成になっているので、よりデザイン性に優れたプリンター１０及びスキャナーユニット１４を備える複合機を得ることができる。
【０１０３】
インク収容部３２の側面３２ｂと、装置本体１２の側面１２ａとが揃っている。
【０１０４】
また、本実施形態では本発明に係るインク収容部３２及びインク収容部カバー４２を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【０１０５】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【０１０６】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【０１０７】
１０…プリンター、１２…装置本体、１２ａ…装置本体の側面、１４…スキャナーユニット、１４ａ、２０ａ、２４ａ、２８ａ、３２ａ…前面、１６…スキャナー本体、１８…ＡＤＦ部、１８ａ…原稿載置トレイ、１８ｂ…原稿排出トレイ、２０…操作パネル、２０ｂ…上端部、２２…排出口、２４…媒体受けトレイ、２６…記録ヘッド、２８…媒体収容部、３０、３０Ａ、３０Ｂ、３０Ｃ、３０Ｄ…インクタンク、３０ａ…インク収容部、３０ｂ…インク注入部、３０ｃ、５０ｂ、８４ｆ…締結部、３０ｄ、７２ｄ、７２ｅ…目盛り、３２…インク収容部、３２ｂ…インク収容部の側面、３４…キャリッジ、３６…駆動モーター、３８…キャリッジ駆動手段、４０…媒体支持部材、４１…制御部、４２…インク収容部カバー、４２ａ…上部、４２ｂ…施錠手段載置部、４２ｃ…開口、４２ｄ…軸受け部、４２ｅ…第１抜け止め部、４２ｆ…第２抜け止め部、４２ｇ…センサー検出部、４２ｈ…ロックレバー規制部、４４…施錠手段掛止部、４４ａ…貫通孔、４６…施錠部、４８…施錠手段、４８ａ…掛け金、５０…上部ハウジング、５０ａ、７２ａ、７２ｂ、８４ｅ、８４ｇ…開口部、５２、５８…回動軸、５２ａ…平面、５４…フレーム部材、５４ａ…第１規制部、５４ｂ…第２規制部、５６…検出センサー、６０…インク注入口、６２…インク注入口カバー、６４…ロックレバー、６６、６６Ａ、６６Ｂ、６６Ｃ、６６Ｄ…誤装着防止部、６８…バッファー部、７０、７０Ａ、７０Ｂ、７０Ｃ、７０Ｄ…大気開放口、７２…外装部材、７２ｃ…スリット、７４、８２、８６、８８…締結部材、７６…フィルム部材、７８…下部フレーム、７８ａ、８４ｂ…内壁、８０…収容区画、８４…補強フレーム、８４ａ…天面、８４ｃ、８４ｄ…フック、９０…凹部、９０ａ、９０ｂ…壁部、９０ｃ…上面、９０ｄ、９０ｆ…接続部、９０ｅ…下面、９２Ａ…第１コネクター接続部、９２Ｂ…第２コネクター接続部、９２Ｃ…第３コネクター接続部、９４…インレット、９６…給送部、９８…給送口カバー、１００…スキャナーカバー
【図１】
2018103526.tif 000003
【図２】
2018103526.tif 000004
【図３】
2018103526.tif 000005
【図４】
2018103526.tif 000006
【図５】
2018103526.tif 000007
【図６】
2018103526.tif 000008
【図７】
2018103526.tif 000009
【図８】
2018103526.tif 000010
【図９】
2018103526.tif 000011
【図１０】
2018103526.tif 000012
【図１１】
2018103526.tif 000013
【図１２】
2018103526.tif 000014
【図１３】
2018103526.tif 000015
【図１４】
2018103526.tif 000016
【図１５】
2018103526.tif 000017
【図１６】
2018103526.tif 000018
【図１７】
2018103526.tif 000019
【図１８】
2018103526.tif 000020
【図１９】
2018103526.tif 000021
【図２０】
2018103526.tif 000022
【図２１】
2018103526.tif 000023
【図２２】
2018103526.tif 000024